(57)【特許請求の範囲】
【請求項１】
エレベータカゴ内に設置されたカメラと、
該カメラから出力された信号を画像信号に変換する画像処理装置と、
予め登録された監視対象者がエレベータかご内にいることを検出する検出手段と、
エレベータの利用が上昇であるか下降であるかを判断する判断手段と、
監視対象者について、エレベータの利用が上昇であるときに画像処理装置から出力された画像信号である上昇画像信号が必要とされているか否かの判断に基づき、上昇画像信号が必要であると判断されたとき、またはエレベータの利用が下降であると判断されたときに、画像処理装置から出力された画像信号を、電気通信回線を通じて記憶管理すると共にその画像信号のうちの特定の画像信号を、予め定めた所定のタイミングで、特定の端末に電気通信回線を通じて配信するデータ管理装置と、
を備えていることを特徴とするエレベータ画像監視装置。
【請求項２】
エレベータカゴ内に設置されたカメラと、
該カメラから出力された信号を画像信号に変換する画像処理装置と、
予め登録された監視対象者がエレベータかご内にいることを検出する検出手段と、
エレベータの利用が上昇であるか下降であるかを判断する判断手段と、
監視対象者について、エレベータの利用が上昇であるときに画像処理装置から出力された画像信号である上昇画像信号が必要とされているか否かの判断に基づき、上昇画像信号が必要であると判断されたとき、またはエレベータの利用が下降であると判断されたときに、画像処理装置から出力された画像信号を、電気通信回線を通じて記憶管理すると共にその画像信号のうちの特定の画像信号を、特定の端末からの要求に応じて電気通信回線を通じてその特定の端末に配信するデータ管理装置と、を備えていることを特徴とするエレベータ画像監視装置。
【請求項３】
前記特定の画像信号には、日付情報並びに時刻情報が付与されていることを特徴とする請求項１または２に記載のエレベータ画像監視装置。
【請求項４】
前記特定の端末は、前記データ管理装置による特定の画像信号の配信設定状況について電気通信回線を通じて変更可能であることを特徴とする請求項１乃至請求項３の何れか一つに記載のエレベータ画像監視装置。
【発明の詳細な説明】
【０００１】
【発明の属する技術分野】
本発明は、エレベータカゴ内に設置されたカメラを利用して建物内居住者等の個人利用を図るようにしたエレベータ画像監視装置に関する。
【０００２】
【従来の技術】
従来から、エレベータカゴ内には、建物内のセキュリティーの一環として防犯カメラが設置され、その防犯カメラから常時出力される画像信号をビデオテープ等の画像記録媒体に記録するようにしたものが周知である。
【０００３】
図１１は、このような防犯カメラシステムの一例を示す説明図である。
【０００４】
図において、１はエレベータカゴ、３はエレベータカゴ１内に固定設置されたカメラ、４はエレベータカゴ１内に固定設置されてカメラ３からのエレベータカゴ１内の状況画像をリアルタイムで表示するモニタ、２はカメラ３からのエレベータカゴ１内の状況画像を記録（録画）するタイムラプスビデオデッキである。このタイムラプスビデオデッキ２は、常時エレベータカゴ１の上部に設置されており、長時間の録画が可能となっている。
【０００５】
エレベータカゴ１内に乗客が搭乗すると、カメラ３からのエレベータカゴ１内の状況画像がタイムラプスビデオデッキ２に録画されると同時にモニタ４にリアルタイムの画像が表示される。尚、モニタ４には、例えば、建物玄関等に設置された他のカメラからの画像信号と交互に表示するものもあるが、このような場合には、タイムラプスビデオデッキ２にはカメラ３からの画像のみが記録されるものと他のカメラからの画像信号とが交互、即ち、モニタ４に表示されている状況と同じ画像が記録されるものとがある。
【０００６】
タイムラプスビデオデッキ２は、管理者等（建物所有者、建物管理者、契約した警備会社やエレベータ保守会社の派遣者等）が保有するリモコン５から出力された信号に基づいて操作が可能となるように、受光部６と電気的に接続されている。
【０００７】
これにより、管理者等は、リモコン５の操作によってタイムラプスビデオデッキ２に記録された映像をモニタ４で確認することができる。
【０００８】
【発明が解決しようとする課題】
ところで、上述したカメラ３によって撮影された画像の確認は、管理者等の限られた者しか確認することができない上、建物内に不審者が侵入した場合等のように、犯罪にかかわる特別な場合にしか利用することができないのが実情であった。
【０００９】
また、このような場合に画像を確認するには、膨大な画像を確認する必要があることから多大な時間を要するうえ、定期的な状況確認にも不向きであった。
【００１０】
そこで、例えば、痴呆症の老人や幼い子供等が勝手に出かけてしまい、家族等が何時、誰と、どのように出かけたのか等の確認をしたいなど、近年の高齢化や非行の低年齢化、或いは、介護支援の一環として、さらには、ホームヘルパーやベビーシッター等のタイムレコーダの代替として、プライベートの問題を考慮しつつ個人単位での利用が図れないかの汎用性の向上の検討を行った。
【００１１】
本発明は、上記問題を解決するため、個人単位での利用を図ることができ、防犯用のカメラの汎用性の向上を実現することができるエレベータ画像監視装置を提供することを目的とする。
【００１２】
【課題を解決するための手段】
本発明に係るエレベータ画像監視装置は、エレベータカゴ内に設置されたカメラと、該カメラから出力された信号を画像信号に変換する画像処理装置と、予め登録された監視対象者がエレベータかご内にいることを検出する検出手段と、エレベータの利用が上昇であるか下降であるかを判断する判断手段と、監視対象者について、エレベータの利用が上昇であるときに画像処理装置から出力された画像信号に基づく画像である上昇画像が必要とされているか否かの判断に基づき、上昇画像信号が必要であると判断されたとき、またはエレベータの利用が下降であると判断されたときに、画像処理装置から出力された画像信号を、電気通信回線を通じて記憶管理すると共にその画像信号のうちの特定の画像信号を、予め定めた所定のタイミングで、特定の端末に電気通信回線を通じて配信するデータ管理装置と、を備えていることを特徴とする。
【００１３】
このような画像監視装置にあっては、エレベータカゴ内にカメラが設置され、予め登録された監視対象者がエレベータかご内にいることが検出され、エレベータの利用が下降であるとき、または上昇画像が必要とされるときに、このカメラから出力された信号が画像処理装置により画像信号に変換され、画像処理装置から出力された画像信号が電気通信回線を通じてデータ管理装置により記憶管理されると共にそのデータ管理装置により画像信号のうちの特定の画像信号が、予め定めた所定のタイミングで、特定の端末に電気通信回線を通じて配信される。
【００１４】
これにより、監視対象者が出掛けた場合等の画像を確保することができ、特定の端末を保有する個人単位での画像を必要に応じて利用することができる。
【００１５】
また、本発明に係るエレベータ画像監視装置は、エレベータカゴ内に設置されたカメラと、該カメラから出力された信号を画像信号に変換する画像処理装置と、予め登録された監視対象者がエレベータかご内にいることを検出する検出手段と、エレベータの利用が上昇であるか下降であるかを判断する判断手段と、監視対象者について、エレベータの利用が上昇であるときに画像処理装置から出力された画像信号である上昇画像信号が必要とされているか否かの判断に基づき、上昇画像信号が必要であると判断されたとき、またはエレベータの利用が下降であると判断されたときに、画像処理装置から出力された画像信号を、電気通信回線を通じて記憶管理すると共にその画像信号のうちの特定の画像信号を、特定の端末からの要求に応じて電気通信回線を通じてその特定の端末に配信するデータ管理装置と、を備えていることを特徴とする。
【００１６】
このような画像監視装置にあっては、エレベータカゴ内にカメラが設置され、予め登録された監視対象者がエレベータかご内にいることが検出され、エレベータの利用が下降であるとき、または上昇画像が必要とされるときに、このカメラから出力された信号が画像処理装置により画像信号に変換され、画像処理装置から出力された画像信号が電気通信回線を通じてデータ管理装置により記憶管理されると共にそのデータ管理装置により画像信号のうちの特定の画像信号が要求に応じて特定の端末に電気通信回線を通じて配信される。
【００１７】
これにより、特定の端末を保有する個人単位での画像を要求に応じて利用することができる。
【００２０】
また、本発明のエレベータ画像監視装置は、前記特定の画像信号には、日付情報並びに時刻情報が付与されていることを特徴とする。
【００２１】
これにより、監視対象者が出掛けた場合、若しくは、帰宅した場合の日付や時刻を画面上で確認することができる。
【００２２】
また、本発明のエレベータ画像監視装置は、前記特定の端末は特定の画像信号の配信設定状況について電気通信回線を通じて変更可能であることを特徴とする。
【００２３】
これにより、利用者が、容易に設定の変更をすることができ、迅速な画像提供の対応を実現することができる。
【００２４】
【発明の実施の形態】
次に、本発明のエレベータ画像監視装置の実施の形態を図面に基づいて説明する。
【００２５】
図１は、本発明のエレベータ画像監視装置の概略システム形態のブロック図である。
【００２６】
図１において、エレベータカゴ１の内部には防犯用のカメラ３が固定設置（向き等の変更は可能）されている。このカメラ３からの出力信号は画像処理装置７により画像信号に変換される。画像処理装置７は通信装置８に接続されている。また、この通信装置８は、エレベータ制御盤９とも接続されている。さらに、エレベータカゴ１の内部には、非接触式のカードリーダ１０が設置されている。このカードリーダ１０は非接触のカード１１に記録された情報を読み取って通信装置８に出力する。
【００２７】
通信装置８は、画像処理装置７、エレベータ制御盤９、カードリーダ１０から出力された信号を電気通信回線（電話回線やパケット通信回線等）１２を通じてエレベータ保守会社２０に出力する。尚、画像処理装置７からはカメラ３からの出力信号に基づく画像信号、エレベータ制御盤９からはエレベータの保守に拘る信号、カードリーダ１０からはカード１１に記憶された情報に基づく信号がそれぞれ出力される。このカード１１は、監視したい人（老人や子供、或いは、ホームヘルパー等）が保有しており、エレベータカゴ１での出入りをカードリーダ１０が非接触で検出する。
【００２８】
図２は、画像処理装置７の具体的な構成を示すブロック図である。画像処理装置７は、ＣＰＵ６１、処理プログラム６２、通信装置８と接続されたデータ通信部６３、接続されているカメラ３からの出力信号を映像ＣＯＤＥＣ６４にてコード化して画像信号としてのデジタルデータに変換する。
【００２９】
図３は、通信装置８の具体的な構成を示すブロック図である。通信装置８は、ＣＰＵ４１、処理プログラム４２、画像蓄積部４３（フレームメモリ等）、ＭＯＤＥＭ（通信モデム）４４、エレベータ制御盤９からの出力信号に基づいてエレベータのアップ運転やダウン運転等のエレベータ保守用の情報を配信する第一データ通信部４５、画像処理装置７からの画像信号を受信すると共に第一データ通信部４５を経由して画像蓄積部４３に画像データを一時的に蓄積させる第二データ通信部４６を備えている。尚、ＭＯＤＥＭ４４には、電気通信回線１２（この場合には電話回線）が接続されている。
【００３０】
エレベータ保守会社２０は、通信装置２１を介してこれらの各信号に基づく情報をデータ管理装置２２で記憶管理する。また、データ管理装置２２で記憶管理された情報のうち、画像処理装置７から出力された画像信号を通信装置２１から電気通信回線２３，２４（例えば、電話回線やインターネット回線）を通じて特定端末としてのパーソナルコンピュータ３１やＦＡＸ３２に配信する。
【００３１】
尚、この配信条件は後述する。また、実質的には、エレベータ保守会社２０においては、複数の建物（複数のカメラ３）からのデータを通信装置２１で受信するため、送信されてきたカメラ３毎の画像データを蓄積すると共に管理する。
【００３２】
次に、図４及び図５のブロック図に基づいて、個人利用者（契約者）が保有する特定端末としてのパーソナルコンピュータ３１による利用状況を説明する。
【００３３】
図４は、パーソナルコンピュータ３１に表示されるメイン画面であり、電気通信回線としてのインターネット回線２３を利用してエレベータ保守会社２０にアクセスすることでパーソナルコンピュータ３１に表示される。
【００３４】
そのパーソナルコンピュータ３１の画面（図示せず）に表示されたメイン画面７０は、ビルＮｏを入力するビルナンバー入力ブロック７１、個人ＩＤを入力する個人ＩＤ入力ブロック７２、パスワードを入力するパスワード入力ブロック７３、変更日を入力する日付入力ブロック７４が表示されると共に、これらの入力を補助する文字表示、並びに、ビルナンバー入力ブロック７１と個人ＩＤ入力ブロック７２とに入力された情報に基づくビル名並びに契約者名が表示される。また、メイン画面７０には、画像確認ボタン７５と設定変更ボタン７６とが表示され、上記各ブロック７１〜７４への入力状況が正しい場合にのみ有効となり、画像確認ボタン７５がクリックされると後述する画像が表示される。また、設定変更ボタン７６をクリックすると、図５に示す設定変更画面８０が表示される。
【００３５】
図５の設定変更画面８０では、パスワードの変更、メールアドレス設定、映像監視スケジュール変更、自動データ送信機能の変更、画像蓄積日数設定、の各種設定を追加・変更することができ、これらの設定を行うブロック８１〜８８が表示される。また、これらの設定を行った後、次段の操作に移行するための変更ＯＫボタン９１、各ブロック８１〜８８の表示状態をクリアするためのやり直しボタン９２、一切の入力をキャンセルするためのキャンセルボタン９３、メイン画面７０に表示切替するためのＴＯＰボタン９４が表示されている。
【００３６】
〈パスワード変更〉
利用者パスワードの変更である。この利用者パスワードは、インターネット回線２３を介して、図４に示した設定画面の表示、エレベータの画像監視システムの内容の変更、画像の確認等を行う際のセキュリティとして使用される。
【００３７】
〈メールアドレス設定〉
メールアドレスは、上述した契約時にはＥ−Ｍａｉｌによる画像の配信を希望しなかったが、追加設定時にＥ−Ｍａｉｌによる画像の配信を希望する場合、或いは、Ｅ−Ｍａｉｌアドレスを変更する場合、にアドレスを入力することで追加或いは変更をすることができる。
【００３８】
〈画像監視スケジュール変更〉
この画像監視スケジュールの変更は、サービス利用の時間帯の設定及び変更を行うもので、その開始時間と終了時間とを独立して変更することができる。
【００３９】
〈自動データ送信機能の変更〉
ここでは、画像データの自動送信を要求する場合、例えば、上述したＥ−Ｍａｉｌアドレスを取得した場合の追加やＦＡＸの購入、或いはこれらとは逆の環境により自動データ送信機能を開始又は終了したい場合にチェックボックスのチェック状態を変更する。また、帰宅であると想定できるエレベータカゴ１の上昇の監視を行なう必要がない場合にはチェックボックス８７をクリックしてチェックマーク（図示せず）を表示させる。
【００４０】
〈画像蓄積日数設定〉
ここでは、自動配信等とは別に、利用者側が画像データを保管（蓄積）していたい希望の日数を１日〜３日の範囲で設定することができる。これにより、毎日の確認ではなく、１日置き、或いは２日置きにまとめて画像を確認することができる。
【００４１】
次に、エレベータ保守会社２０側での管理例を図６に示す。尚、これらの表示は、上述したデータ管理装置２２を有するサーバーの画面（共に図示せず）に表示される。
【００４２】
エレベータ保守会社２０側では、図４及び図５に示した設定等により、所定の状況、例えば、ビルＮｏ、個人ＩＤ番号、氏名、開始時刻、終了時刻、エレベータカゴ１の上昇時の画像を必要とするかのＵＰ画像登録、その画像データの配信先である、ホームページアドレスやＥ−Ｍａｉｌアドレス、ＦＡＸ番号等のデータ送信先が表示される。
【００４３】
また、通信装置８には、図７に示すように、居住者の誰が、何時、どの画像を監視しているかを認識できるように、個人ＩＤ番号、氏名、開始時刻、終了時刻、エレベータカゴ１の上昇時の画像を必要とするかのＵＰ画像登録の有無についてのデータが登録されている。
【００４４】
次に、このような画像処理装置７の制御例を図８のフローチャートに基づいて説明する。
【００４５】
（ステップ１００）
ステップ１００において上記図４及び図５（必要に応じて）の設定が終了すると、そのデータが通信装置２１、電気通信回線１２、通信装置８を経由して画像処理装置７に配信されており、その画像処理装置７のＣＰＵ６１、並びに、処理プログラム６２により所定フラグ等に変換されて登録されている。
【００４６】
（ステップ１０１）
次に、ステップ１０１において、現在時刻がその設定のうちの開始時刻から終了時刻の範囲内にあるか否かが判断され、現在時刻が開始時間前或いは終了時間後である場合にはこのステップ１０１をループし、現在時刻が開始時間内で且つ終了時間前である場合、即ち、サービス時間内である場合にはステップ１０２へと移行する。
【００４７】
（ステップ１０２）
ステップ１０２では、カードリーダ１０がカード１１を検出したか否かが判断され、カードリーダ１０に登録されたカード１１が検出された場合にはステップ１０３へと移行され、カードリーダ１０に登録されたカード１１が検出されない場合には、引き続きサービス時間内でのカード１１の検出を継続するためにステップ１０１にループされる。
【００４８】
（ステップ１０３）
ステップ１０３では、ステップ１０２において、契約した監視対象者がエレベータを利用したと判断し、カメラ３から画像を取得するためにカメラ３等を駆動させ、ステップ１０４へと移行する。
【００４９】
（ステップ１０４）
ステップ１０４では、カメラ３から出力されて映像ＣＯＤＥＣ６４にて変換された画像データが画像蓄積部４３に一時的に蓄積されてステップ１０５へと移行する。
【００５０】
（ステップ１０５）
ステップ１０５では、エレベータの利用が上昇かが判断され、上昇の場合にはステップ１０６へと移行し、下降の場合にはステップ１０７へと移行する。
【００５１】
（ステップ１０６）
ステップ１０６では、契約者がＵＰ画像を必要としているか否かが判断され、ＵＰ画像を必要としている場合には、ＵＰ画像登録フラグ有効であるとしてステップ１０７に移行し、ＵＰ画像を必要としていない場合には、現在の監視対象者のエレベータ利用が上昇であることから、今回、画像蓄積部４３に一時的に蓄積された画像データが消去され（今回分のみ）、引き続き監視体制をとるためにステップ１０１へとループされる。
【００５２】
（ステップ１０７）
ステップ１０７では、ステップ１０５においてエレベータが下降である（外出である）と判断されたこと、若しくは、ステップ１０６で上昇画像も必要であると判断されたことに伴い、画像蓄積部４３に一時的に蓄積された画像データ、即ち、蓄積ＦＩＬＥをエレベータ保守会社２０へと送信する。
【００５３】
一方、利用者は、上述した図４の必要事項（パスワード等）を入力した後、画像確認ボタン７５をクリックすることにより、パーソナルコンピュータ３１の画面上に図９に示すような確認画像１１０が表示される。
【００５４】
この、確認画像は、マンション名（ビル名）やユーザー名（利用者氏名）、表示対象日付（日付入力ブロック７４で入力）と共に、その対象日付のうち３回分（３回未満の場合にはその回数分）の画像１１１〜１１３が表示される。また、確認したい日付よりも早い日付の分若しくは同日で早い時間の分（３回以上の場合）の画像を表示するための矢印ボタン１１４、日付表示ブロック１１５、確認したい日付よりも遅い日付の分若しくは同日で遅い時間の分（３回以上の場合）の画像を表示するための矢印ボタン１１６が表示される。
【００５５】
尚、ブラウザ表示でない場合、即ち、Ｅ−ＭａｉｌやＦＡＸ配信の場合には、図１０に示す画像１２０が配信される。この場合、Ｅ−Ｍａｉｌの場合には、図１０に相当する画像１２０がビットマップイメージ、ＧＩＦイメージ、ＪＰＥＧイメージ等、或いはハイパーテキスト形式等のデータで添付・配信され、ＦＡＸ配信の場合には図１０で示した画像１２０がプリントアウトされる。
【００５６】
この際、メールアドレスが追加若しくは変更設定された場合には、監視の終了時間を経過した時点から、即ち、次回分から有効となり、今回分までの画像に関しては自動的にＥ−ＭａｉｌやＦＡＸ等で配信される。
【００５７】
ところで、上記実施の形態では、カメラ３からの出力信号を画像処理装置７で処理した例を開示したが、従来技術で開示したタイムラプスビデオ２の中に組み込むことも可能であり、これと併用することで防犯システムの確保を容易に継続することができる。
【００５８】
また、画像の自動配信（Ｅ−Ｍａｉｌ配信若しくはＦＡＸ配信）の場合、１日１回の映像監視スケジュールの終了タイミング、若しくは、図５のブロック８８で設定した蓄積日数の終了タイミング毎に自動配信されるが、監視対象者がエレベータを利用する度毎（ＵＰ画像不要の場合には下降時のみ）に自動的に配信しても良い。
【００５９】
さらに、監視対象者を検出する方法としてカードリーダ１０とカード１１を用いた非接触式を開示したが、例えば、携帯電話によるＢｌｕｅｔｏｏｔｈやＨｏｍｅＲＦを利用した端末認識等も可能である。この携帯電話利用の場合、その監視対象者用の携帯電話メールから監視者保有の携帯電話へと文字やカメラ３からの画像を配信すれば、リアルタイムでの監視を実現することができる。
【００６０】
尚、上記システムは、防犯用カメラを併用することがコスト的な観点から有効であるが、既存の防犯カメラが設置されていない場合には、独自システムとしてもよいことは勿論である。また、同様に、エレベータ保守等とも独立することができる。
【００６１】
【発明の効果】
本発明のエレベータ画像監視装置にあっては、以上説明したように構成したことにより、個人単位での利用を図ることができ、防犯用のカメラの汎用性の向上を実現することができる。
【図面の簡単な説明】
【図１】  本発明の実施の形態１に係わるエレベータ画像監視装置の概略システム形態のブロック図である。
【図２】  画像処理装置の具体的な構成を示すブロック図である。
【図３】  通信装置の具体的な構成を示すブロック図である。
【図４】  メイン画面の表示例の説明図である。
【図５】  設定変更画面の表示例の説明図である。
【図６】  管理表示画面の説明図である。
【図７】  通信装置用管理データの説明図である。
【図８】  画像処理装置の制御例のフロー図である。
【図９】  ブラウザ上での画像表示例の説明図である。
【図１０】  Ｅ−Ｍａｉｌの添付ファイル若しくはＦＡＸ送信時の画像表示例の説明図である。
【図１１】  従来のエレベータ画像監視装置の概略システム形態のブロック図である。
【符号の説明】
１  エレベータカゴ、３  カメラ、７  画像処理装置、１２  電気通信回線、２２  データ管理装置、２３  インターネット回線（電気通信回線）、２４  電話回線（電気通信回線）、３１  パーソナルコンピュータ（特定の端末）、３２ＦＡＸ（特定の端末）。
【図１】
0004022087.tif 000002
【図２】
0004022087.tif 000003
【図３】
0004022087.tif 000004
【図４】
0004022087.tif 000005
【図５】
0004022087.tif 000006
【図６】
0004022087.tif 000007
【図７】
0004022087.tif 000008
【図８】
0004022087.tif 000009
【図９】
0004022087.tif 000010
【図１０】
0004022087.tif 000011
【図１１】
0004022087.tif 000012